(57)【特許請求の範囲】
【請求項１】
メモリとプロセッサとを有する装置であって、
前記プロセッサは、第１の無線局に、
第２の無線局からのロケーション・コンフィギュレーション・インフォメーション（ＬＣＩ）リクエストを処理するステップであって、前記ＬＣＩリクエストは、第３の無線局の識別子を含むフィールドと、前記第３の無線局に対するロケーションリクエストを示すためのフィールドとを含む、処理するステップと、
前記第２の無線局にＬＣＩレポートを送信するステップであって、前記ＬＣＩレポートは前記第３の無線局に対応するロケーション情報を含む、送信するステップと、
を実行させるよう構成される装置。
【請求項２】
前記第３の無線局の識別子を含むフィールドは、前記第３の無線局のＭＡＣ（Ｍｅｄｉｕｍ  Ａｃｃｅｓｓ  Ｃｏｎｔｒｏｌ）アドレスを含む、請求項１記載の装置。
【請求項３】
前記第３の無線局の識別子を含むフィールドは、任意的なサブエレメントフィールドにある、請求項１記載の装置。
【請求項４】
前記ＬＣＩリクエストは、１オクテットのサイズを有するロケーション・サブジェクトフィールドを含む、請求項１記載の装置。
【請求項５】
前記ＬＣＩリクエストは、前記ＬＣＩレポートにおけるパラメータの要求分解能を示すための要求分解能フィールドを含む、請求項１記載の装置。
【請求項６】
前記ＬＣＩリクエストは、アジマスリクエストフィールドを含む、請求項１記載の装置。
【請求項７】
前記ＬＣＩレポートは、前記第３の無線局に対応する緯度、経度及び高度情報を含む、請求項１乃至６何れか一項記載の装置。
【請求項８】
前記ＬＣＩレポートは、前記第３の無線局の識別子を含む、請求項１乃至６何れか一項記載の装置。
【請求項９】
前記ＬＣＩレポートは、前記第３の無線局のフロアレベルのフロア情報と、フロアより上の前記第３の無線局の高さを示すフロア上高さ情報とを含む、請求項１乃至６何れか一項記載の装置。
【請求項１０】
前記ＬＣＩリクエストを受信し、前記ＬＣＩレポートを送信する無線機を含む、請求項１乃至６何れか一項記載の装置。
【請求項１１】
１つ以上のアンテナを有する、請求項１乃至６何れか一項記載の装置。
【請求項１２】
第１の無線局において、
第２の無線局からのロケーション・コンフィギュレーション・インフォメーション（ＬＣＩ）リクエストを処理するステップであって、前記ＬＣＩリクエストは、第３の無線局の識別子を含むフィールドと、前記第３の無線局に対するロケーションリクエストを示すためのフィールドとを含む、処理するステップと、
前記第２の無線局にＬＣＩレポートを送信するステップであって、前記ＬＣＩレポートは前記第３の無線局に対応するロケーション情報を含む、送信するステップと、
をプロセッサに実現させるためのコンピュータプログラム。
【請求項１３】
前記第３の無線局の識別子を含むフィールドは、前記第３の無線局のＭＡＣ（Ｍｅｄｉｕｍ  Ａｃｃｅｓｓ  Ｃｏｎｔｒｏｌ）アドレスを含む、請求項１２記載のコンピュータプログラム。
【請求項１４】
前記第３の無線局の識別子を含むフィールドは、任意的なサブエレメントフィールドにある、請求項１２記載のコンピュータプログラム。
【請求項１５】
前記ＬＣＩリクエストは、１オクテットのサイズを有するロケーション・サブジェクトフィールドを含む、請求項１２記載のコンピュータプログラム。
【請求項１６】
前記ＬＣＩリクエストは、前記ＬＣＩレポートにおけるパラメータの要求分解能を示すための要求分解能フィールドを含む、請求項１２記載のコンピュータプログラム。
【請求項１７】
前記ＬＣＩリクエストは、アジマスリクエストフィールドを含む、請求項１２記載のコンピュータプログラム。
【請求項１８】
前記ＬＣＩレポートは、前記第３の無線局に対応する緯度、経度及び高度情報を含む、請求項１２記載のコンピュータプログラム。
【請求項１９】
前記ＬＣＩレポートは、前記第３の無線局の識別子を含む、請求項１２記載のコンピュータプログラム。
【請求項２０】
前記ＬＣＩレポートは、前記第３の無線局のフロアレベルのフロア情報と、フロアより上の前記第３の無線局の高さを示すフロア上高さ情報とを含む、請求項１２記載のコンピュータプログラム。
【請求項２１】
第１の無線局において実行される方法であって、
第２の無線局にロケーション・コンフィギュレーション・インフォメーション（ＬＣＩ）リクエストを送信するステップであって、前記ＬＣＩリクエストは、第３の無線局の識別子を含むフィールドと、前記第３の無線局に対するロケーションリクエストを示すためのフィールドとを含む、送信するステップと、
前記第２の無線局からのＬＣＩレポートを処理するステップであって、前記ＬＣＩレポートは前記第３の無線局に対応するロケーション情報を含む、処理するステップと、
を有する方法。
【請求項２２】
前記第３の無線局の識別子を含むフィールドは、前記第３の無線局のＭＡＣ（Ｍｅｄｉｕｍ  Ａｃｃｅｓｓ  Ｃｏｎｔｒｏｌ）アドレスを含む、請求項２１記載の方法。
【請求項２３】
前記第３の無線局の識別子を含むフィールドは、任意的なサブエレメントフィールドにある、請求項２１記載の方法。
【請求項２４】
前記ＬＣＩリクエストは、１オクテットのサイズを有するロケーション・サブジェクトフィールドを含む、請求項２１記載の方法。
【請求項２５】
前記ＬＣＩリクエストは、前記ＬＣＩレポートにおけるパラメータの要求分解能を示すための要求分解能フィールドを含む、請求項２１記載の方法。
【請求項２６】
前記ＬＣＩリクエストは、アジマスリクエストフィールドを含む、請求項２１記載の方法。
【請求項２７】
前記ＬＣＩレポートは、前記第３の無線局に対応する緯度、経度及び高度情報を含む、請求項２１記載の方法。
【請求項２８】
前記ＬＣＩレポートは、前記第３の無線局の識別子を含む、請求項２１記載の方法。
【請求項２９】
前記ＬＣＩレポートは、前記第３の無線局のフロアレベルのフロア情報と、フロアより上の前記第３の無線局の高さを示すフロア上高さ情報とを含む、請求項２１記載の方法。
【請求項３０】
前記第３の無線局によるラウンド・トリップ・タイム（ＲＴＴ）測定を実行するステップを有する、請求項２１記載の方法。
【請求項３１】
メモリとプロセッサとを有する装置であって、
前記プロセッサは、第１の無線局に請求項２１乃至３０何れか一項記載の方法を実行させるよう構成される装置。
【請求項３２】
前記ＬＣＩリクエストを送信し、前記ＬＣＩレポートを受信する無線機を含む、請求項３１記載の装置。
【請求項３３】
１つ以上のアンテナを有する、請求項３１記載の装置。
【請求項３４】
請求項２１乃至３０何れか一項記載の方法をプロセッサに実現させるためのコンピュータプログラム。
【請求項３５】
請求項１２乃至２０何れか一項又は請求項３４記載のコンピュータプログラムを記憶するためのコンピュータ可読記憶媒体。
【発明の詳細な説明】
【背景技術】
【０００１】
無線産業は、スマート・グリッド、ワイヤレス・センサ・ネットワーク及びリソースの制御及び車両及び商品の追跡を最大化することにフォーカスしたアプリケーションなどの技術にリンクしたマシーン・ツー・マシーン（Ｍ２Ｍ）通信又はマシーン・タイプ・コミュニケーション（ＭＴＣ）に対して関心を増大させてきている。Ｍ２Ｍは、デバイス（センサ、メータなど）を利用してイベント（温度、在庫レベルなど）をキャプチャし、キャプチャしたイベントを意味のある情報（例えば、補充される必要があるアイテムなど）に変換するアプリケーション（ソフトウェアプログラム）にネットワーク（無線、有線又はハイブリッド）を介し中継される。ＭＴＣは、何れのケースでも人手による支援がほとんどなくデータを生成するようやりとりするデバイスに依拠するが、当該データは人間による利用のため利用可能である必要がある。ユーザインタフェース及び機構は、容易なクエリ、又は一般的な用語では、直感的な経験及びインタラクションを可能にする。モバイルオペレータネットワークなどの今日の通信ネットワークは、人間の通信の必要性に適合するように設計及び構築されてきた。同時に、今日マーケットにおいて利用可能なマシーン・ツー・マシーン（Ｍ２Ｍ）通信手段が出現してきた。しかしながら、このような手段は、相互運用しないほとんどモノリシックなインフラストラクチャである。
【０００２】
物理的オブジェクトがインターネットに接続され、他のデバイスに対して自らを特定可能な計算コンセプトであるインターネット・オブ・シングズ（ＩｏＴ）は、ＭＴＣに関連する。ＩｏＴサービスは、接続されたオブジェクトの位置特定及び追跡に依拠する。ＩｏＴは、インターネット状の構成における識別可能なオブジェクト及びそれらの仮想表現を参照する。ＲＦＩＤ（Ｒａｄｉｏ−Ｆｒｅｑｕｅｎｃｙ  Ｉｄｅｎｔｉｆｉｃａｔｉｏｎ）はしばしば、ＩｏＴがコンピュータによるデバイスの管理及び在庫管理を可能にするための必須条件としてみなされる。無線周波数システムは、ネットワーク内のモバイルデバイスにより受信される送信信号を利用する。受信信号の信号強度、到来角度、タイム・オブ・フライト（ＴｏＦ）などの複数の推定技術において利用され、以降に、ノードの位置を計算するため三角測量により利用される。
【０００３】
アクセスポイント（ＡＰ）は、当該ＡＰとの接続を現在有するステーションに位置レポートを定期的に提供してもよい。ネットワークにおける無線媒体に接続するコンポーネントは、ステーションとして参照される。ステーションには、ワイヤレス・ネットワーク・インタフェース・コントローラ（ＷＮＩＣ）が備えられる。無線ステーションは、アクセスポイントとクライアントとの２つのカテゴリの１つに属する。アクセスポイント（ＡＰ）は、通常はルータであり、無線ネットワークのための基地局である。それらは、無線対応デバイスが通信するための無線周波数を送受信する。無線クライアントは、ラップトップ、パーソナル・デジタル・アシスタント、ＩＰ電話及び他のスマートフォンなどのモバイルデバイス、又は無線ネットワークインタフェースが備えられたデスクトップやワークステーションなどの固定デバイスとすることが可能である。
【０００４】
報告元ＡＰは、ロケーション・コンフィギュレーション・インフォメーション・レポートの一部として当該情報を送信する。ロケーション・コンフィギュレーション・インフォメーション・レポートは、緯度、経度及び高度情報など、報告元ＡＰの位置情報を含む。ＴｏＦロケーションについて、ステーションなどのイニシエータは、応答したＡＰの範囲を計算した後、それの位置を自己認識するため、応答した関連付けされていない各ＡＰの位置を知る必要がある。ＩＥＥＥ８０２．１１規格は、ＡＰの位置についてステーションが関連付けされるＡＰをクエリする方法を提供する。しかしながら、関連付けされていないＡＰの位置を取得するためプロトコルが実行される回数は、現在は多すぎる。
【図面の簡単な説明】
【０００５】
【図１】図１は、実施例によるＡＰ位置クエリを示す。
【図２】図２は、ＩＥＥＥ８０２．１１ｋによるＬＣＩリクエストを示す。
【図３】図３は、実施例による任意的なサブエレメントフィールドを示す。
【図４】図４は、実施例によるクエリ対象のステーションを示すのに利用される長さフィールドにおけるビットにより表現されるフラグを示す。
【図５】図５は、実施例によるＬＣＩレポートを示す。
【図６】図６は、実施例による報告元ＡＰの近傍のアクセスポイント（ＡＰ）の位置情報のためのクエリを提供する方法のフローチャートである。
【図７】図７は、実施例による報告元ＡＰの近傍のアクセスポイント（Ａ）の位置情報のためのクエリを提供する一例となるマシーンのブロック図を示す。
【発明を実施するための形態】
【０００６】
以下の説明及び図面は、当業者が実施することを可能にするのに十分に特定の実施例を説明する。他の実施例は、構成的、論理的、電気的処理及び他の変更を含むものであってもよい。一部の実施例の部分及び特徴は、他の実施例のものに含まれるか、又は置換されてもよい。請求項における以下の実施例は、請求項の利用可能な均等を網羅する。
【０００７】
ここに説明される実施例は、ステーションがそれの位置を決定するため、報告元ＡＰの近傍のアクセスポイント（ＡＰ）のＡＰ位置クエリを提供する。例えば、ＡＰはＡＰのクラスタにおいて構成されてもよく、一部は報告元ＡＰ以外のものであり、ＡＰは報告元ＡＰなどの近傍にあってもよい。８０２．１１ｋ規格は、ステーションが報告もとＡＰの位置を取得することを可能にするロケーション・コンフィギュレーション・インフォメーション・リクエスト（ＬＣＩ  Ｒｅｑｕｅｓｔ）のプロトコルを提供する。報告元ＡＰは、関連付けされたＡＰであってもよく、この場合、フレーム交換がまた、Ｐｒｏｔｅｃｔｅｄ  Ｍａｎａｇｅｍｅｎｔ  Ｆｒａｍｅファシリティを利用してセキュア化されてもよい。８０２．１１ｖ規格、８０２．１１ｕ規格などの他の８０２．１１規格は同様のＬＣＩメッセージを利用する。実施例によると、報告元ＡＰ以外のＡＰの位置は、８０２．１１ｋプロトコルのエンハンスメント及び拡張を介して提供されてもよい。ＡＰは、それらのベーシック・サービス・セット識別子（ＢＳＳＩＤ）により識別されてもよい。ＢＳＳＩＤは、アクセスポイントがＳＳＩＤをホストする無線インタフェース又はサブインタフェースのＭＡＣアドレスである。アクセスポイントは、それらのビーコン及びプローブレスポンスにＢＳＳＩＤを含める。
【０００８】
報告元ＡＰは、ロケーション・コンフィギュレーション・インフォメーション・レポートの一部として当該情報を送信する。ロケーション・コンフィギュレーション・インフォメーション・レポートは、緯度、経度及び高度情報などの報告元ＡＰの位置情報を含む、８０２．１１ｋプロトコルのエンハンスメント及び拡張は、電力及び時間セービングを提供し、ロケーションレポートのセキュアな媒体を可能にする。
【０００９】
図１は、実施例によるＡＰロケーションクエリ１００を示す。図１において、４つのＡＰ、すなわち、ＡＰ１  １１０、ＡＰ２  １２０、ＡＰ３  １３０、ＡＰ４  １４０がネットワークにおいて示される。ＵＥ、携帯電話などのクライアント１５０は、４つのＡＰ、すなわち、ＡＰ１  １１０、ＡＰ２  １２０、ＡＰ３  １３０、ＡＰ４  １４０と通信する。ネットワークマネージメント／ゲートウェイ１６０は、ＡＰ、すなわち、ＡＰ１  １１０、ＡＰ２  １２０、ＡＰ３  １３０、ＡＰ４  １４０、被制御ネットワーク内のクライアント１５０などのネットワークユーザを管理する。
【００１０】
ファイン・タイミング・メジャメントフレーム１７０は、受信局が送信局に対するラウンド・トリップ・タイム（ＲＴＴ）を正確に測定することを可能にする。１つのステーションから他のステーションへのファイン・タイミング・メジャメントフレーム１７０の定期的な伝送によって、受信局が経時的に送信局に関するＲＴＴの変化を追跡することが可能である。図１において、クライアントは、４つのＡＰ、すなわち、ＡＰ１  １１０、ＡＰ２  １２０、ＡＰ３  １３０、ＡＰ４  １４０からファイン・タイミング・メジャメントフレーム１７０を受信してもよい。図１において、ＡＰ１  １００は関連付けされたＡＰであり、近傍のＡＰ、すなわち、ＡＰ２  １２０、ＡＰ３  １３０、ＡＰ４  １４０の位置に対するクライアントステーション１１０からの位置リクエストを処理する。位置リクエスト１８０は、クライアントから関連付けされたＡＰであるＡＰ１  １１０に送信される。関連付けされたＡＰであるＡＰ１  １１０は、それの近傍の位置を知らなくてもよい。従って、ネットワークマネージメント／ゲートウェイ１６０は、近傍のＡＰであるＡＰ２  １２０、ＡＰ３  １３０、ＡＰ４  １４０の位置情報１９０を取得するためクエリされてもよい。関連付けされたＡＰであるＡＰ１  １１０は、そのとき近傍のＡＰであるＡＰ２  １２０、ＡＰ３  １３０、ＡＰ４  １４０の位置と共に、サービングＡＰであるＡＰ１の位置を提供する位置レポート１８０をクライアント１５０に送信してもよい。
【００１１】
図２は、ＩＥＥＥ８０２．１１ｋ規格によるＬＣＩリクエスト２００を示す。ＬＣＩリクエスト２００は、ステーションが近傍ＡＰ及び拡張情報を含むエンハンスされたＬＣＩレポートを受信することを所望していることを通知することを可能にするようエンハンスされる。図２において、ＬＣＩリクエスト２００は、ロケーション・サブジェクトフィールド２１０、緯度要求分解能フィールド２２０、経度要求分解能フィールド２３０、高度要求分解能フィールド及び任意的なサブエレメントフィールド２５０を有する。ＬＣＩリクエストは、位置サブジェクトフィールド２１０、緯度要求分解能フィールド２２０、経度要求分解能フィールド２１０及び高度要求分解能フィールド２４０のための４オクテット２６０を有する。任意的なサブエレメントに用いられるオクテットは可変２７０である。実施例によると、任意的なサブエレメントフィールド２５０は、関連付けされたＡＰの近傍の他のＡＰをクエリするのに利用されてもよい。
【００１２】
図３は、実施例による任意的なサブエレメントフィールド３００を示す。任意的なサブエレメントフィールド３００は、ステーションに報告するＡＰ以外の近傍のＡＰに対するクエリを発信するのに利用されてもよい。図３において、任意的なサブエレメントフィールド３００は、サブエレメントＩＤ３１０、ネームフィールド３２０、オクテット長さフィールド３３０及び拡張可能フィールド３４０を有する。
【００１３】
任意的なサブエレメントフィールド３００は、サブエレメントＩＤ３１０が０の値３１１を有するとき、サブエレメント識別子（ＩＤ）３１０が２〜２２０の範囲の値３１５を有するとき、サブエレメントＩＤ３１０が２２２〜２２５の範囲の値３１９を有するとき、リザーブ３２２される。サブエレメントＩＤ３１０が１の値３１４を有するとき、任意的なサブエレメントフィールド３００は、アジマスリクエスト３２４のために利用され、それは、１の長さフィールド（オクテットによる）３３０における値３３４を有し、拡張可能フィールド３４０はＹｅｓ３４４である。拡張可能フィールド３４０におけるＹｅｓ３４４は、サブエレメントの長さフィールド３３０に示される長さが拡張されてもよいことを示す。サブエレメントＩＤ３１０が２２１の値３１８を有するとき、任意的なサブエレメントフィールド３００がベンダ固有クエリ３２８のために利用され、それは、１〜２４６の長さフィールド（オクテットによる）３３０において値３３８を有する。
【００１４】
リザーブされたサブエレメントＩＤ３１１，３１５，３１９の１つは、近傍のＡＰ３４０をクエリするのに利用されてもよい。リザーブされたサブエレメントＩＤ３１１，３１５，３１９の名前３２０は、近傍ＡＰ３４２の位置に変更されてもよい。長さフィールド（オクテットによる）３３０は６１の値３４４を有してもよく、拡張可能フィールド３４０は、Ｙｅｓ３４６の値により通知してもよい。近傍ＡＰ３４２の位置の拡張可能フィールド３４０がＹＥＳ３４６に設定されているとき、長さフィールド３３０に示される長さ３４４は拡張されてもよい。長さフィールド３３０の６１のオクテット３４４は、４８８ビットを表す。
【００１５】
図４は、実施例によるクエリ対象のステーション４００を示すのに利用される長さフィールド４００におけるビットにより表されるフラグを示す。図４において、フラグは、ＢＳＳＩＤアレイフィールド４１０（ＢＳＳＩＤ＝６ｘＵＩＮＴ８，Ｍａｘ  Ｌｅｎｇｔｈ＝１０）、ＡＰリスト通知フラグフィールド４２０及びリザーブフィールド４３０を有する。ＢＳＳＩＤアレイフィールド４１０は、４８０ビット４１２を用いてクエリされたＡＰを特定する。ＡＰリスト通知フラグフィールド４２０は、ＡＰのリストが提供されているか示すための１ビットの長さ４２２である。リザーブフィールド４３０は、７ビットの長さ４３２である。リクエストがＡＰのＢＳＳＩＤアレイフィールド４１０により示されるような特定のＡＰについてステーションクエリを示すためのフラグ４２０を有するとき、当該リクエストが発信される。ＢＳＳＩＤアレイフィールド４１０に示される特定のＡＰがない場合、リクエストが送信されるＡＰは、それの判断に従って近傍ＡＰに関するレポートを送信する。
【００１６】
図５は、実施例によるＬＣＩレポート５００を示す。図５に示されるように、ＬＣＩレポート５００は、緯度５１０、経度５２０及び高度５３０情報を含む。緯度５１０、経度５２０及び高度５３０のフィールドなどの各フィールドの長さは、定義された長さにより示される。しかしながら、定義された長さは、実施例の範囲から逸脱することなく変更されてもよい。
【００１７】
任意的なサブエレメント５５０は、各近傍ＡＰの位置情報を送信するための複数のフレームを有してもよく、ＴｏＦサポート、フロアテキストなどの付加的情報を提供してもよい。従って、別々のフレームが各ＡＰについて送信されてもよい。任意的なサブエレメントの長さは可変５２２である。任意的なサブエレメントフィールド５５０は、図３に示されるようなリザーブサブエレメントＩＤを含むサブエレメントＩＤを有してもよい。従って、リザーブサブエレメントＩＤは、近傍ＡＰの位置情報を報告するのに利用されてもよい。
【００１８】
従って、ＬＣＩレポート５００は、近傍ＡＰのＢＳＳＩＤ、フロアの上のＡＰの高さ、１階、２階、地下などのＡＰフロアレベルを示すフロアテキストなど、報告元（関連付けされた）ＡＰ及び近傍ＡＰに関連する任意的な情報要素、ＡＰ緯度、経度、高度、データを含む近傍ＡＰのＬＣＩ情報、及び各近傍ＡＰの任意的なサブエレメントを含むようエンハンスされる。
【００１９】
図６は、実施例による報告元ＡＰの近傍のアクセスポイント（ＡＰ）の位置情報のクエリを提供する方法のフローチャート６００である。図６において、報告元ＡＰ６１０の近傍のＡＰに関する位置情報を含む、ＬＣＩレポートについて報告元ＡＰをクエリするため構成されるサブエレメントを有するロケーション・コンフィギュレーション・インフォメーション（ＬＣＩ）リクエストが生成される。報告元ＡＰの近傍のＡＰに関する位置情報を含むＬＣＩレポートに対する生成されたＬＣＩリクエストは、報告元ＡＰ６２０に送信される。ＬＣＩリクエストに応答して、報告元ＡＰ６３０の近傍のＡＰに関連する位置情報を報告するサブエレメント識別子と共にサブエレメントを含むＬＣＩレポートが受信される。
【００２０】
図７は、ここに説明される技術（方法など）の何れか１つ以上が実行する実施例による報告元ＡＰの近傍のアクセスポイント（ＡＰ）の位置情報のクエリを提供する一例となるマシーン７００のブロック図を示す。他の実施例では、マシーン７００は、スタンドアローンデバイスとして動作してもよいし、又は他のマシーンに接続（ネットワーク化）されてもよい。ネットワーク化された配置では、マシーン７００は、サーバ・クライアントネットワーク環境におけるサーバマシーン及び／又はクライアントマシーンのキャパシティにおいて動作してもよい。一例では、マシーン７００は、ピア・ツー・ピア（Ｐ２Ｐ）（又は他の分散化された）ネットワーク環境におけるピアマシーンとして動作してもよい。マシーン７００は、パーソナルコンピュータ（ＰＣ）、タブレットＰＣ、セットトップボックス（ＳＴＢ）、パーソナル・デジタル・アシスタント（ＰＤＡ）、携帯電話、ウェブアプライアンス、ネットワークルータ、スイッチ若しくはブリッジ、又は当該マシーンにより行われるアクションを指定する命令（逐次的又はそれ以外）を実行可能な何れかマシーンであってもよい。さらに、単一のマシーンが示されるが、“マシーン”という用語はまた、クラウドコンピューティング、ＳａａＳ（Ｓｏｆｔｗａｒｅ  ａｓ  ａ  Ｓｅｒｖｉｃｅ）、他のコンピュータクラスタコンフィギュレーションなど、ここに説明された方法の何れか１つ以上を実行するための命令セット（又は複数のセット）を個別に又は一緒に実行する何れかのマシーンの集まりを含むよう解釈される。
【００２１】
ここに説明される具体例は、ロジック又は複数のコンポーネント、モジュール又は機構を含むか、又は動作してもよい。モジュールは、指定された処理を実行可能な有形なエンティティ（ハードウェアなど）であり、特定の方式で設定又は構成されてもよい。一例では、回路は、モジュールとして指定された方式で構成されてもよい（例えば、他の回路などの外部エンティティに関して、又は内部的に）。一例では、１つ以上のコンピュータシステム（例えば、スタンドアローン、クライアント又はサーバコンピュータシステム）又は１つ以上のハードウェアプロセッサ７０２の少なくとも一部は、指定された処理を実行するよう動作するモジュールとしてファームウェア又はソフトウェア（例えば、命令、アプリケーション部分又はアプリケーション）によって設定されてもよい。一例では、ソフトウェアは、少なくとも１つの機械可読媒体に配置されてもよい。一例では、モジュールの基礎となるハードウェアにより実行されると、ハードウェアに指定された処理を実行させる。
【００２２】
従って、“モジュール”という用語は、ここに説明される何れかの処理の少なくとも一部を実行するか、又は指定された方式で動作するよう物理的に構成され、具体的に設定され（配線化など）、又は一時的（一時的など）に設定（プログラムなど）されるエンティティである場合、有形なエンティティを含むよう理解される。モジュールが一時的に設定される具体例を考慮して、モジュールは、何れか１つの時点でインスタンス化される必要はない。例えば、モジュールがソフトウェアを用いて設定される汎用ハードウェアプロセッサ７０２を有する場合、汎用ハードウェアプロセッサは、異なる時点で異なる各モジュールとして設定されてもよい。ソフトウェアは、例えば、１つの時点で特定のモジュールを構成し、異なる時点で異なるモジュールを構成するようハードウェアプロセッサを設定してもよい。“アプリケーション”という用語又はその変形は、ルーチン、プログラムモジュール、プログラム、コンポーネントなどを含むようここでは拡張的に利用され、シングルプロセッサ又はマルチプロセッサシステム、マイクロプロセッサベースエレクトロニクス、シングルコア又はマルチコアシステム、これらの組み合わせなどを含む各種システムコンフィギュレーション上で実現されてもよい。従って、アプリケーションという用語は、ここに説明される何れかの処理の少なくとも一部を実行するよう構成されるソフトウェア又はハードウェアの実施例を参照するのに利用されてもよい。
【００２３】
マシーン（コンピュータシステムなど）７００は、ハードウェアプロセッサ７０２（例えば、中央処理ユニット（ＣＰＵ）、グラフィクス処理ユニット（ＧＰＵ）、ハードウェアプロセッサコア又はこれらの何れかの組み合わせ）、メインメモリ７０４及びスタティックメモリ７０６を有してもよく、その少なくとも一部はインターリンク（バスなど）７０８を介し他のものと通信してもよい。マシーン７００は更に、ディスプレイユニット７１０、英数字入力デバイス７１２（キーボードなど）及びユーザインタフェース（ＵＩ）ナビゲーションデバイス７１４（マウスなど）を有してもよい。具体例では、ディスプレイユニット７１０、入力デバイス７１２及びＵＩナビゲーションデバイス７１４は、タッチ画面ディスプレイであってもよい。マシーン７００は更に、記憶装置（ドライブユニットなど）７１６、信号生成デバイス７１８（スピーカーなど）、ネットワークインタフェースデバイス７２０及び、ＧＰＳ（Ｇｌｏｂａｌ  Ｐｏｓｉｔｉｏｎｉｎｇ  Ｓｙｓｔｅｍ）センサ、コンパス、加速度計又は他のセンサなどの１つ以上のセンサ７２１を有してもよい。マシーン７００は、１つ以上の周辺デバイス（プリンタ、カードリーダなど）を通信又は制御するため、シリアル（ＵＳＢ（Ｕｎｉｖｅｒｓａｌ  Ｓｅｒｉａｌ  Ｂｕｓ）など）、パラレル又は他の有線若しくは無線（赤外線（ＩＲ）など）接続などの出力コントローラ７２８を有してもよい。
【００２４】
記憶装置７１６は、ここに説明される技術又は機能の何れか１つ以上によって実現又は利用される１つ以上のデータ構造又は命令セット７２４（ソフトウェアなど）を記憶する少なくとも１つの機械可読媒体７２２を有してもよい。命令７２４はまた、メインメモリ７０４、スタティックメモリ７０６などの追加的な機械可読メモリに、又はマシーン７００による実行中はハードウェアプロセッサ７０２内にあってもよい。一例では、ハードウェアプロセッサ７０２、メインメモリ７０４、スタティックメモリ７０６又は記憶装置７１６の１つ又は何れかの組み合わせが、機械可読媒体を構成してもよい。
【００２５】
機械可読媒体７２２は単一の媒体として示されるが、“機械可読媒体”という用語は、１つ以上の命令７２４を記憶するよう構成される単一の媒体又は複数の媒体（例えば、中央化又は分散化されたベースデータ及び／又は関連付けされたキャッシュ及びサーバ）を有してもよい。
【００２６】
“機械可読媒体”という用語は、マシーン７００による実行のための命令を記憶、符号化又は担持可能であって、本開示の技術の何れか１つ以上をマシーン７００に実行させる何れかの媒体、又は当該命令によって利用され、又は関連付けされるデータ構造を記憶、符号化又は担持可能な何れかの媒体を有してもよい。非限定的な機械可読媒体の具体例は、ソリッドステートメモリ及び光及び磁気媒体を含むものであってもよい。機械可読媒体の特定の具体例は、半導体メモリデバイス（ＥＰＲＯＭ（Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−ＯＮｌｙ  Ｍｅｍｏｒｙなど）及びフラッシュメモリデバイスなどの不揮発性メモリ、内部のハードディスク及び着脱可能なディスクなどの磁気ディスク、光磁気ディスク、ＣＤ−ＲＯＭ及びＤＶＤ−ＲＯＭディスクを含むものであってもよい。
【００２７】
命令７２４は更に、複数の伝送プロトコル（例えば、フレームリレイ、インターネットプロトコル（ＩＰ）、伝送制御プロトコル（ＴＣＰ）、ユーザデータグラムプロトコル（ＵＤＰ）、ハイパーテキスト伝送プロトコル（ＨＴＴＰ）など）の何れか１つを利用するネットワークインタフェースデバイス７２０を介し伝送媒体を利用して通信ネットワーク７２６を介し送受信されてもよい。一例となる通信ネットワークは、ローカル・エリア。ネットワーク（ＬＡＮ）、ワイド・エリア・ネットワーク（ＷＡＮ）、パケット・データ・ネットワーク（インターネットなど）、携帯電話ネットワーク（例えば、符号分割多重接続（ＣＤＭＡ）、時分割多重接続（ＴＤＭＡ）、周波数分割多重接続（ＦＤＭＡ）及び直交周波数分割多重接続（ＯＦＤＭＡ）を含むチャネルアクセス方法、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００  １ｘ＊規格及びＬＴＥ（Ｌｏｎｇ  Ｔｅｒｍ  Ｅｖｏｌｕｔｉｏｎ）などのセルラネットワーク、ＰＯＴＳ（Ｐｌａｉｎ  Ｏｌｄ  Ｔｅｌｅｐｈｏｎｅ）ネットワーク、無線データネットワーク（例えば、ＩＥＥ８０２．１１規格（ＷｉＦｉ）、ＩＥＥ８０２．１６規格（ＷｉＭａｘ（登録商標）などを含むＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２規格ファミリ）、ピア・ツー・ピア（Ｐ２Ｐ）ネットワーク又は現在知られている若しくは以降に開発される他のプロトコルを含むものであってもよい。
【００２８】
例えば、ネットワークインタフェースデバイス７２０は、通信ネットワーク７２６に接続するため、１つ以上の物理的なジャック（イーサネット（登録商標）、同軸又は電話ジャックなど）又は１つ以上のアンテナを有してもよい。一例では、ネットワークインタフェースデバイス７２０は、ＳＩＭＯ（Ｓｉｎｇｌｅ−Ｉｎｐｕｔ  Ｍｕｌｔｉｐｌｅ−Ｏｕｔｐｕｔ）、ＭＩＭＯ（Ｍｕｌｔｉｐｌｅ−Ｉｎｐｕｔ  Ｍｕｌｔｉｐｌｅ−Ｏｕｔｐｕｔ）又はＭＩＳＯ（Ｍｕｌｔｉｐｌｅ−Ｉｎｐｕｔ  Ｓｉｎｇｌｅ−Ｏｕｔｐｕｔ）技術の少なくとも１つを利用して無線通信するための複数のアンテナを有してもよい。“伝送媒体”という用語は、マシーン７００による実行のための命令を記憶、符号化又は担持可能であって、ソフトウェアの通信を実現するためのデジタル又はアナログ通信信号又は他の非有形な媒体を含む何れかの非有形な媒体を含むよう解釈される。
【００２９】
追加的な注記及び具体例：
具体例１は、報告元ＡＰの近傍のＡＰに関する位置情報を含むロケーション・コンフィギュレーション・インフォメーション（ＬＣＩ）レポートについて報告元ＡＰにクエリするよう構成されるサブエレメントを有すＬＣＩリクエストを生成するステップと、
報告元ＡＰの近傍のＡＰに関する位置情報を含むＬＣＩレポートに対する生成されたＬＣＩリクエストを報告元ＡＰに送信するステップと、
を有する方法又は（処理を実行するための）手段などの主題を有してもよい。
【００３０】
具体例２は、任意的には具体例１の主題を有してもよく、サブエレメントを有するＬＣＩリクエストを生成するステップは、報告元ＡＰの近傍のＡＰに関する位置情報を含むＬＣＩレポートに対するリクエストとして、ＬＣＩリクエストを特定するサブエレメント識別子を備えたサブエレメントを有するＬＣＩリクエストを生成するステップを含む。
【００３１】
具体例３は、任意的には具体例１〜２の何れか１つ以上の主題を有してもよく、サブエレメント識別子を備えたサブエレメントを有するＬＣＩリクエストを生成するステップは更に、近接ＡＰのリストがＬＣＩレポートに位置情報を含むか示すためのインジケータフラグを備えたサブエレメントを有するＬＣＩリクエストを生成するステップを含む。
【００３２】
具体例４は、任意的には具体例１〜３の何れか１つ以上の主題を有してもよく、近接ＡＰのリストがＬＣＩレポートに位置情報を含むか示すためのインジケータフラグを備えたサブエレメントを有するＬＣＩリクエストを生成するステップは、ＬＣＩレポートに位置情報を含めるべき近接ＡＰに関連するベーシック・サービス・セット識別子（ＢＳＳＩＤ）のリストを備えたサブエレメントを有するＬＣＩリクエストを生成するステップを含む。
【００３３】
具体例５は、任意的には具体例１〜４の何れか１つ以上の主題を有してもよく、近接ＡＰのリストがＬＣＩレポートに位置情報を含むか示すためのインジケータフラグを備えたサブエレメントを有するＬＣＩリクエストを生成するステップは、近接ＡＰの何れの位置情報を含むか報告元ＡＰが決定することを可能にするため、ＢＳＳＩＤのリストを備えないサブエレメントを有するＬＣＩリクエストを生成するステップを含む。
【００３４】
具体例６は、任意的には具体例１〜５の何れか１つ以上の主題を有してもよく、サブエレメントを有するＬＣＩリクエストを生成するステップは、報告元ＡＰの近傍のＡＰに関する位置情報を含むＬＣＩレポートに対するリクエストとして、ＬＣＩリクエストを特定するためのリザーブされたサブエレメント識別子を利用することによって、ＬＣＩリクエストを生成するステップを含む。
【００３５】
具体例７は、任意的には具体例１〜６の何れか１つ以上の主題を有してもよく、報告元ＡＰの近傍のＡＰに関する位置情報を含むＬＣＩレポートに対するリクエストとして、ＬＣＩリクエストを特定するためのリザーブされたサブエレメント識別子を利用することによって、ＬＣＩリクエストを生成するステップは、報告元ＡＰの近傍のＡＰに関する緯度、経度及び高度情報を含むＬＣＩレポートに対するリクエストとして、ＬＣＩリクエストを特定するサブエレメント識別子を備えたサブエレメントを有するＬＣＩリクエストを生成するステップを含む。
【００３６】
具体例８は、任意的には具体例１〜７の何れか１つ以上の主題を有してもよく、ＬＣＩリクエストに応答して、報告元ＡＰの近傍のＡＰに関連する位置情報を報告したサブエレメント識別子を備えたサブエレメントを含むＬＣＩレポートを受信するステップを更に有する。
【００３７】
具体例９は、任意的には具体例１〜８の何れか１つ以上の主題を有してもよく、報告元ＡＰの近傍のＡＰに関連する位置情報を報告したサブエレメント識別子を備えたサブエレメントを含むＬＣＩレポートを受信するステップは、報告元ＡＰの近傍の各ＡＰのフレームを含むＬＣＩレポートを受信するステップを有し、報告元ＡＰの近傍の各ＡＰのフレームは、報告元ＡＰの近傍のＡＰに関する緯度、経度及び高度情報を報告するよう構成されるサブエレメント識別子を備えたサブエレメントを含む。
【００３８】
具体例１０は、任意的には具体例１〜９の何れか１つ以上の主題を有してもよく、報告元ＡＰの近傍の各ＡＰのフレームを含むＬＣＩレポートを受信するステップは更に、報告元ＡＰの近傍の各ＡＰのフレームを含むＬＣＩレポートを受信するステップを含み、報告元ＡＰの近傍の各ＡＰのフレームは、報告元ＡＰの近傍の各ＡＰに関連するフロアの上の高さ及び／又はフロアレベルを示すフロアテキストを報告するよう構成されるサブエレメント識別子を備えたサブエレメントを含む。
【００３９】
具体例１１は、報告元ＡＰの近傍のＡＰに関する位置情報を含むＬＣＩレポートについて報告元ＡＰにクエリするよう構成されるサブエレメントを有するロケーション・コンフィギュレーション・インフォメーション（ＬＣＩ）リクエストを生成するよう構成されるプロセッサと、
プロセッサに結合され、報告元ＡＰの近傍のＡＰに関する位置情報を含むＬＣＩレポートに対する生成されたＬＣＩリクエストを報告元ＡＰに送信するよう構成される送受信機とを有する主題（デバイス、装置、クライアント又はシステムなど）を有してもよい。
【００４０】
具体例１２は、任意的には具体例１１の主題を有してもよく、プロセッサは、報告元ＡＰの近傍のＡＰに関する位置情報を含むＬＣＩレポートに対するリクエストとして、ＬＣＩリクエストを特定するサブエレメント識別子を備えたサブエレメントを有するＬＣＩリクエストを生成する。
【００４１】
具体例１３は、任意的には具体例１１〜１２の何れか１つ以上の主題を有してもよく、プロセッサは、近接ＡＰのリストがＬＣＩレポートに位置情報を含むか示すためのインジケータフラグを備えたサブエレメントを有するＬＣＩリクエストを生成する。
【００４２】
具体例１４は、任意的には具体例１１〜１３の何れか１つ以上の主題を有してもよく、プロセッサは、ＬＣＩレポートに位置情報を含めるべき近接ＡＰに関連するＢＳＳＩＤのリストを備えたサブエレメントを有するＬＣＩリクエストを生成する。
【００４３】
具体例１５は、任意的には具体例１１〜１４の何れか１つ以上の主題を有してもよく、プロセッサは、近接ＡＰの何れの位置情報を含むか報告元ＡＰが決定することを可能にするため、ＢＳＳＩＤのリストを備えないサブエレメントを有するＬＣＩリクエストを生成する。
【００４４】
具体例１６は、任意的には具体例１１〜１５の何れか１つ以上の主題を有してもよく、プロセッサは、報告元ＡＰの近傍のＡＰに関する位置情報を含むＬＣＩレポートに対するリクエストとして、ＬＣＩリクエストを特定するためのリザーブされたサブエレメント識別子を利用することによって、ＬＣＩリクエストを生成する。
【００４５】
具体例１７は、任意的には具体例１１〜１６の何れか１つ以上の主題を有してもよく、プロセッサは、報告元ＡＰの近傍のＡＰに関する緯度、経度及び高度情報を含むＬＣＩレポートに対するリクエストを有するＬＣＩリクエストを生成する。
【００４６】
具体例１８は、任意的には具体例１１〜１７の何れか１つ以上の主題を有してもよく、送受信機は更に、ＬＣＩリクエストに応答して、報告元ＡＰの近傍の各ＡＰのフレームを含むＬＣＩレポートを受信するよう構成される。
【００４７】
具体例１９は、任意的には具体例１１〜１８の何れか１つ以上の主題を有してもよく、ＬＣＩレポートにおいて提供される各ＡＰのフレームは、報告元ＡＰの近傍のＡＰに関する緯度、経度及び高度情報を報告するサブエレメント識別子を備えたサブエレメントを含む。
【００４８】
具体例２０は、任意的には具体例１１〜１９の何れか１つ以上の主題を有してもよく、ＬＣＩレポートにおいて提供される各ＡＰのフレームは、報告元ＡＰの近傍の各ＡＰに関連するフロアの上の高さ及び／又はフロアレベルを示すフロアテキストを報告するサブエレメント識別子を備えたサブエレメントを含む。
【００４９】
具体例２１は、報告元ＡＰの近傍のＡＰに関する位置情報を含むＬＣＩレポートについて報告元ＡＰにクエリするよう構成されるサブエレメントを有するロケーション・コンフィギュレーション・インフォメーション（ＬＣＩ）リクエストを生成するステップと、
報告元ＡＰの近傍のＡＰに関する位置情報を含むＬＣＩレポートに対する生成されたＬＣＩリクエストを報告元ＡＰに送信するステップと、
を有する主題（マシーンにより実行されると、処理をマシーンに実行させる命令を有する機械可読媒体又は処理を実行する手段など）を有してもよい。
【００５０】
具体例２２は、任意的には具体例２１の主題を有してもよく、サブエレメントを有するＬＣＩリクエストを生成するステップは、報告元ＡＰの近傍のＡＰに関する位置情報を含むＬＣＩレポートに対するリクエストとして、ＬＣＩリクエストを特定するサブエレメント識別子を備えたサブエレメントを有するＬＣＩリクエストを生成するステップを含む。
【００５１】
具体例２３は、任意的には具体例２１〜２３の何れか１つ以上の主題を有してもよく、サブエレメント識別子を備えたサブエレメントを有するＬＣＩリクエストを生成するステップは更に、近接ＡＰのリストがＬＣＩレポートに位置情報を含むか示すためのインジケータフラグを備えたサブエレメントを有するＬＣＩリクエストを生成するステップを含む。
【００５２】
具体例２４は、任意的には具体例２１〜２３の何れか１つ以上の主題を有してもよく、近接ＡＰのリストがＬＣＩレポートに位置情報を含むか示すためのインジケータフラグを備えたサブエレメントを有するＬＣＩリクエストを生成するステップは、ＬＣＩレポートに位置情報を含めるべき近接ＡＰに関連するＢＳＳＩＤのリストを備えたサブエレメントを有するＬＣＩリクエストを生成するステップを含む。
【００５３】
具体例２５は、任意的には具体例２１〜２４の何れか１つ以上の主題を有してもよく、近接ＡＰのリストがＬＣＩレポートに位置情報を含むか示すためのインジケータフラグを備えたサブエレメントを有するＬＣＩリクエストを生成するステップは、近接ＡＰの何れの位置情報を含むか報告元ＡＰが決定することを可能にするため、ＢＳＳＩＤのリストを備えないサブエレメントを有するＬＣＩリクエストを生成するステップを含む。
【００５４】
具体例２６は、任意的には具体例２１〜２５の何れか１つ以上の主題を有してもよく、サブエレメントを有するＬＣＩリクエストを生成するステップは、報告元ＡＰの近傍のＡＰに関する位置情報を含むＬＣＩレポートに対するリクエストとして、ＬＣＩリクエストを特定するためのリザーブされたサブエレメント識別子を利用することによって、ＬＣＩリクエストを生成するステップを含む。
【００５５】
具体例２７は、任意的には具体例２１〜２６の何れか１つ以上の主題を有してもよく、報告元ＡＰの近傍のＡＰに関する位置情報を含むＬＣＩレポートに対するリクエストとして、ＬＣＩリクエストを特定するサブエレメント識別子を備えたサブエレメントを有するＬＣＩリクエストを生成するステップは、報告元ＡＰの近傍のＡＰに関する緯度、経度及び高度情報を含むＬＣＩレポートに対するリクエストとして、ＬＣＩリクエストを特定するサブエレメント識別子を備えたサブエレメントを有するＬＣＩリクエストを生成するステップを含む。
【００５６】
具体例２８は、任意的には具体例２１〜２７の何れか１つ以上の主題を有してもよく、ＬＣＩリクエストに応答して、報告元ＡＰの近傍のＡＰに関連する位置情報を報告したサブエレメント識別子を備えたサブエレメントを含むＬＣＩレポートを受信するステップを更に有する。
【００５７】
具体例２９は、任意的には具体例２１〜２８の何れか１つ以上の主題を有してもよく、報告元ＡＰの近傍のＡＰに関連する位置情報を報告したサブエレメント識別子を備えたサブエレメントを含むＬＣＩレポートを受信するステップは、報告元ＡＰの近傍の各ＡＰのフレームを含むＬＣＩレポートを受信するステップを有し、報告元ＡＰの近傍の各ＡＰのフレームは、報告元ＡＰの近傍のＡＰに関する緯度、経度及び高度情報を報告するよう構成されるサブエレメント識別子を備えたサブエレメントを含む。
【００５８】
具体例３０は、任意的には具体例２１〜２９の何れか１つ以上の主題を有してもよく、報告元ＡＰの近傍の各ＡＰのフレームを含むＬＣＩレポートを受信するステップは更に、報告元ＡＰの近傍の各ＡＰのフレームを含むＬＣＩレポートを受信するステップを含み、報告元ＡＰの近傍の各ＡＰのフレームは更に、報告元ＡＰの近傍の各ＡＰに関連するフロアの上の高さ及び／又はフロアレベルを示すフロアテキストを報告するよう構成されるサブエレメント識別子を備えたサブエレメントを含む。
【００５９】
具体例３１は、要求元装置から報告元ＡＰにおいて、報告元ＡＰの近傍のＡＰに関する位置情報を含むＬＣＩレポートを要求するよう構成されるサブエレメントを有するロケーション・コンフィギュレーション・インフォメーション（ＬＣＩ）リクエストを受信するステップと、
ＬＣＩレポートに含めるため、報告元ＡＰの近傍のＡＰに関する位置情報を取得するステップと、
報告元ＡＰの近傍のＡＰに関する位置情報を含むＬＣＩレポートを要求元装置に送信するステップと、
を有する主題（デバイス、装置、クライアント又はシステムなど）を有してもよい。
【００６０】
具体例３２は、任意的には具体例３１の主題を有してもよく、ＬＣＩリクエストを受信するステップは、報告元ＡＰの近傍のＡＰに関する位置情報を含むＬＣＩレポートに対するリクエストとして、ＬＣＩリクエストを特定するサブエレメント識別子を備えたサブエレメントを有するＬＣＩリクエストを受信するステップを含む。
【００６１】
具体例３３は、任意的には具体例３１〜３２の何れか１つ以上の主題を有してもよく、ＬＣＩリクエストを受信するステップは、近傍ＡＰのリストがＬＣＩレポートに位置情報を含むか示すインジケータフラグを備えたサブエレメントを有するＬＣＩリクエストを受信するステップを含む。
【００６２】
具体例３４は、任意的には具体例３１〜３３の何れか１つ以上の主題を有してもよく、ＬＣＩリクエストを受信するステップは、ＬＣＩレポートに位置情報を含めるため、近傍ＡＰに関連するベーシック・サービス・セット識別子（ＢＳＳＩＤ）のリストを備えたサブエレメントを有するＬＣＩリクエストを受信するステップを含む。
【００６３】
具体例３５は、任意的には具体例３１〜３４の何れか１つ以上の主題を有してもよく、ＬＣＩリクエストを受信するステップは、近傍ＡＰの何れの位置情報を含めるか報告元ＡＰが決定することを可能にするためのＢＳＳＩＤのリストを備えないサブエレメントを有するＬＣＩリクエストを受信するステップを含む。
【００６４】
具体例３６は、任意的には具体例３１〜３５の何れか１つ以上の主題を有してもよく、ＬＣＩリクエストを受信するステップは、報告元ＡＰの近傍のＡＰに関する位置情報を含むＬＣＩレポートに対するリクエストとして、ＬＣＩリクエストを特定するためのリザーブされたサブエレメント識別子を有するＬＣＩリクエストを受信するステップを含む。
【００６５】
具体例３７は、任意的には具体例３１〜３６の何れか１つ以上の主題を有してもよく、ＬＣＩリクエストを受信するステップは、報告元ＡＰの近傍のＡＰに関する緯度、経度及び高度情報を含むＬＣＩレポートに対するリクエストとして、ＬＣＩリクエストを特定するサブエレメント識別子を備えるサブエレメントを有するＬＣＩリクエストを受信するステップを含む。
【００６６】
上記の詳細な説明は、詳細な説明の一部を構成する添付図面の参照を含む。図面は、例示的に実施可能な特定の実施例を示す。これらの実施例はまた、“具体例”ともここでは呼ばれる。このような具体例は、図示又は説明されたものに加えて要素を含むものであってもよい。しかしながら、図示又は説明された要素を含む具体例もまた想到される。さらに、特定の具体例（又は１つ以上のそれの態様）に関して、又はここに図示又は説明された他の具体例（又は１つ以上のそれの態様）に関して、図示又は説明された要素（又は１つ以上のそれの態様）の何れかの組み合わせ又は順列を利用した具体例がまた想到される。
【００６７】
本文献において参照される刊行物、特許及び特許文献は、参照することにより個別に援用されるかのように、参照することによりその全体がここに援用される。本明細書と参照することにより援用されたこれらの文献との間の整合しない使用がある場合、援用されたリファレンスにおける使用は本明細書のものに対する補完的なものであり、相容れない不一致については、本明細書における使用がコントロールする。
【００６８】
本明細書では、“ある”という用語が使用され、特許文献において一般的であるように、“少なくとも１つ”又は“１つ以上”の他の何れかのインスタンス又は使用から独立して、１つ又は複数を含む。本明細書では、“又は”という用語は、特段の断りがない場合、“Ａ又はＢ”は“ＡであるがＢでない”、“ＢであるがＡでない”及び“Ａ及びＢ”を含むように、又は非排他的であることを参照するのに利用される。添付した請求項では、“含む（ｉｎｌｃｕｄｉｎｇ）”及び“ここで（ｉｎ  ｗｈｉｃｈ）”という用語は、それぞれ“有する（ｃｏｍｐｒｉｓｉｎｇ）”及び“ここで（ｗｈｅｒｅｉｎ）”という用語に等価なプレインな英語として用いられる。また、以下の請求項では、“含む”及び“有する”という用語は限定的でなく、すなわち、請求項におけるそのような用語の後に列記されるものに加えて、要素を含むシステム、デバイス、物又は処理は依然として当該請求項の範囲内に属するとみなされる。さらに、以下の請求項では、“第１の”、“第２の”、“第３の”などの用語は単なるラベルとして用いられ、それらのオブジェクトの数的順序を示唆することを意図しない。
【００６９】
上記の説明は、限定的でなく例示的であると意図される。例えば、上述した具体例（又はそれらの１つ以上の態様）が他と組み合わせて利用されてもよい。他の実施例は、上記の説明を確認すると、当業者などによって利用されてもよい。要約書は、例えば、読者が米国における３７Ｃ．Ｆ．Ｒ．§１．７２（ｂ）に準拠するように、技術的開示の性質を迅速に確認することを可能にするためのものである。それが請求項の範囲又は意味を解釈又は限定するのに利用されないという理解により提出されている。また、上記の詳細な説明では、各種特徴は開示を簡素化するため一緒にグループ化されてもよい。しかしながら、請求項は、実施例が特徴の一部を含みうるため、ここに開示される特徴を提供しなくてもよい。さらに、実施例は、特定の具体例において開示されるものとより少ない特徴を有してもよい。従って、以下の請求項は、別の実施例として自ら請求項が成立することによって詳細な説明に援用される。ここに開示される実施例の範囲は、請求項に与えられる均等の完全な範囲と共に、添付した請求項を参照して決定されるべきである。
【図１】
0006321112.tif 000002
【図２】
0006321112.tif 000003
【図３】
0006321112.tif 000004
【図４】
0006321112.tif 000005
【図５】
0006321112.tif 000006
【図６】
0006321112.tif 000007
【図７】
0006321112.tif 000008